(57)【要約】【課題】震災時に、任意の、例えば二次災害を発生させるおそれのあるコンセントのみを自動的に電源遮断するように家屋全体でコントロールする。【解決手段】親機１０は、壁付コンセント２に接続されるコンセント入力部１１と、コンセント入力部１１に接続されると共に、接続されたエアコン４に対して電力を供給するコンセント出力部１２と、振動を検出する振動検出部１３と、振動検出部１３で所定値以上の振動を検出したかを判断する制御部１４と、制御部１４が所定値以上の振動を検出したとき、電源遮断信号を無線で子機３０に対して送信する送信部１５とを有する。子機３０は、電熱変換機能を有する電気ストーブ５や水槽ヒータ６が接続されており、子機３０が電源遮断信号を受信したとき、電気ストーブ５や水槽ヒータ６の電源を遮断できるようにする。【選択図】図２
2010029004.tif 000002
【特許請求の範囲】
【請求項１】
第１のコンセントに接続される第１のコンセント入力部と、上記第１のコンセント入力部に接続されると共に、接続された第１の電気機器に対して電力を供給する第１のコンセント出力部と、振動を検出する振動検出部と、上記振動検出部で所定値以上の振動を検出したかを判断する第１の制御部と、上記第１の制御部が上記所定値以上の振動を検出したとき、電源遮断信号を無線で送信する送信部とを有する親機と、
第２のコンセントに接続される第２のコンセント入力部と、上記第２のコンセント入力部に接続されると共に、接続された第２の電気機器に対して電力を供給する第２のコンセント出力部と、上記第２のコンセント入力部と上記第２のコンセント出力部との間に設けられるスイッチと、上記親機から送信された電源遮断信号を受信する受信部と、上記受信部で電源遮断信号を受信したとき、上記スイッチをオフにする第２の制御部とを有し、上記親機に対して一又は複数設けられる子機と
を備える電源遮断システム。
【請求項２】
上記親機は、上記第１のコンセント入力部に接続され上記第１の制御部に電源供給をする第１の電源部を有し、
上記第１の電源部は、上記第１のコンセント入力部からの電源供給が停止した際に上記第１の制御部が所定時間駆動する電力を蓄電する
請求項１記載の電源遮断システム。
【請求項３】
上記親機は、上記第１のコンセント入力部に接続され停電を検出すると共に照明部を点灯する停電検出部を有し、
上記停電検出部は、停電を検出したとき、電池を電源として上記照明部を点灯する
請求項１又は請求項２記載の電源遮断システム。
【請求項４】
上記親機は、上記第１の制御部が上記振動検出部で上記所定値以上の振動を検出したと判断したとき、上記子機に接続された第２の電気機器の電源を遮断することを告知する第１の警告音を放音する第１の警告部を有する
請求項１乃至請求項３のうち何れか１項記載の電源遮断システム。
【請求項５】
上記子機は、上記受信部で電源遮断信号を受信したとき、上記子機に接続された第２の電気機器の電源を遮断したことを告知する第２の警告音を放音する第２の警告部を有する
請求項１乃至請求項４のうち何れか１項記載の電源遮断システム。
【請求項６】
上記第１の警告部は、上記第１の制御部が上記振動検出部で上記所定値より小さいと判断したとき、上記送信部より電源遮断信号を送信することなく、振動を検出したことを告知する第２の警告音を放音する
請求項１乃至請求項５のうち何れか１項記載の電源遮断システム。
【請求項７】
上記子機の第２のコンセント出力部に接続される第２の電気機器は、電熱変換機能を有する
請求項１乃至請求項６のうち何れか１項記載の電源遮断システム。
【請求項８】
コンセントに接続されるコンセント入力部と、
上記コンセント入力部に接続されると共に、接続された電気機器に対して電力を供給するコンセント出力部と、
振動を検出する振動検出部と、
上記振動検出部で所定値以上の振動を検出したかを判断する制御部と、
上記制御部が上記所定値以上の振動を検出したとき、電源遮断信号を無線で子機に対して送信する送信部とを有し、
上記子機が上記電源遮断信号を受信したとき、更なる電気機器の電源を遮断できるようにする感震装置。
【請求項９】
コンセントに接続されるコンセント入力部と、
上記コンセント入力部に接続されると共に、接続された電気機器に対して電力を供給するコンセント出力部と、
上記コンセント入力部と上記コンセント出力部との間に設けられるスイッチと、
親機から送信された電源遮断信号を受信する受信部と、
上記受信部で電源遮断信号を受信したとき、上記スイッチをオフにする制御部とを有し、
上記親機に対して一又は複数設けられ、
上記親機が所定値以上の振動を検出して送信した電源遮断信号を受信したとき、上記制御部は、上記スイッチをオフにし、上記コンセント出力部に接続された電気機器の電源を遮断する電源遮断装置。
【発明の詳細な説明】
【技術分野】
【０００１】
本発明は、災害に伴う電気火災の防止に関し、所定値以上の振動を検出したとき、電熱変換機能を有する電気機器等の電源を遮断する電電源遮断システム並びにこれに用いる感震装置及び電源遮断装置に関する。
【背景技術】
【０００２】
地震の発生により、発展的に住宅等が火災に見舞われるケースがある。この火災の発生（二次的災害）を防ぐことが、災害を拡大させないためにも重要である。そこで、特許文献１（特開平１０−２１８１４号公報）に示すように、地震の揺れに応じてブレーカのレバーを降下させ、通電を遮断する技術が提案されている。
【０００３】
しかしながら、特許文献１に記載されているように、任意のコンセントに対して独立に電源遮断装置を設置した場合には、地震が発生した際に、ある電源遮断装置は作動するが、他の電源遮断装置は作動しない、といった装置毎のバラツキが生じる可能性がある。
【０００４】
また、地震に対して、家屋全体で電源遮断を行う場合に、系統電源の引き込み線又は配電盤により電源の遮断を行うシステムにしてしまうと、地震が起こった際に、家中の電源が遮断されてしまうため、例えば、廊下の電灯も点灯しなくなってしまい、避難が困難になる可能性がある。
【０００５】
また、行政庁の提言によれば、災害時や家屋の退出時には、需要家自身に安全対策（例えば、ブレーカを切ったり、電気プラグを抜いたりする）を講じることを期待しているが、現実的には、災害発生時には室内に様々な物が落下してプラグやコンセントの位置が見えなくなっており、また、需要家は、災害によるパニックに陥っている場合が多いため、電気安全のための冷静な行動を期待することはできない。
【０００６】
なお、詳細は、「地震に強い電気設備のために、「電気設備防災対策検討報告（オペレーション関係）（平成７年１１月２４日、電気設備防災対策検討会）」」、資源エネルギー庁編、電力新報社発行）を参照のこと。また、「感震機能付住宅用分電盤ガイドライン」、平成１３年１１月９日制定（遮断法人日本配線器具工業会発行）を参照のこと。
【０００７】
【特許文献１】特開平１０−２１８１４号公報
【発明の開示】
【発明が解決しようとする課題】
【０００８】
本発明は、上述した問題点に鑑みてなされたものであって、その目的は、震災時に、任意の、例えば二次災害を発生させるおそれのあるコンセントのみを自動的に電源遮断するように家屋全体でコントロールすることができる電源遮断システム並びにこれに用いる感震装置及び電源遮断装置を提供することにある。
【０００９】
また、本発明の他の目的は、既設の家屋等に対しても、安価にかつ容易に配設が可能な電源遮断システム並びにこれに用いる感震装置及び電源遮断装置を提供することにある。
【課題を解決するための手段】
【００１０】
本発明に係る電源遮断システムは、第１のコンセントに接続される第１のコンセント入力部と、上記第１のコンセント入力部に接続されると共に、接続された第１の電気機器に対して電力を供給する第１のコンセント出力部と、振動を検出する振動検出部と、上記振動検出部で所定値以上の振動を検出したかを判断する第１の制御部と、上記第１の制御部が上記所定値以上の振動を検出したとき、電源遮断信号を無線で送信する送信部とを有する親機と、第２のコンセントに接続される第２のコンセント入力部と、上記第２のコンセント入力部に接続されると共に、接続された第２の電気機器に対して電力を供給する第２のコンセント出力部と、上記第２のコンセント入力部と上記第２のコンセント出力部との間に設けられるスイッチと、上記親機から送信された電源遮断信号を受信する受信部と、上記受信部で電源遮断信号を受信したとき、上記スイッチをオフにする第２の制御部とを有し、上記親機に対して一又は複数設けられる子機とを備える。
【００１１】
本発明に係る感震装置は、上記電源遮断システムに用いられる親機に相当し、コンセントに接続されるコンセント入力部と、上記コンセント入力部に接続されると共に、接続された電気機器に対して電力を供給するコンセント出力部と、振動を検出する振動検出部と、上記振動検出部で所定値以上の振動を検出したかを判断する制御部と、上記制御部が上記所定値以上の振動を検出したとき、電源遮断信号を無線で子機に対して送信する送信部とを有する。そして、上記子機が上記電源遮断信号を受信したとき、更なる電気機器の電源を遮断できるようにする。
【００１２】
本発明に係る電源遮断装置は、上記電源遮断システムに用いられる子機に相当し、コンセントに接続されるコンセント入力部と、上記コンセント入力部に接続されると共に、接続された電気機器に対して電力を供給するコンセント出力部と、上記コンセント入力部と上記コンセント出力部との間に設けられるスイッチと、親機から送信された電源遮断信号を受信する受信部と、上記受信部で電源遮断信号を受信したとき、上記スイッチをオフにする制御部とを有する。上記親機に対して一又は複数設けられ、上記親機が所定値以上の振動を検出して送信した電源遮断信号を受信したとき、上記制御部は、上記スイッチをオフにし、上記コンセント出力部に接続された電気機器の電源を遮断する。
【発明の効果】
【００１３】
本発明によれば、親機で所定値以上の振動を検出したとき、子機に対して電源遮断信号を送信し、電熱変換機能を有する電気機器が接続された子機が親機からの電源遮断信号を受信すると、強制的に、電熱変換機能を有する電気機器への電源供給を遮断する。したがって、所定値以上の振動の地震が発生したときには、子機に接続された電熱変換機能を有する電気機器への電源供給を遮断することができ、更に、送電が再開された場合においても、電熱変換機能を有する電気機器が動作して発熱することを防止でき、二次災害の発生を防止することができる。
【発明を実施するための最良の形態】
【００１４】
本発明が適用された電源遮断システムは、住宅等に設置されるものであって、震災等の災害時に家屋全体における電源の供給をコンセント毎にコントロールする。
【００１５】
具体的に、図１に示すように、本発明が適用された電源遮断システム１は、住宅に設けられたエアコン等用の壁付きコンセント２に接続される親機１０と、部屋の床側に設けられる壁付きコンセント３に接続される一又は複数の子機３０とを備えている。親機１０は、居住者の生活に邪魔にならない天井側の例えばエアコン用の壁付きコンセント２等に接続される。また、子機３０は、比較的居住者が日常使用する床側の壁付きコンセント３に接続される。床側に設けられる複数の壁付きコンセント３の中でも、子機３０は、電気ストーブ、水槽内の水を暖める水槽ヒータ等の電熱変換機能等を有する電気機器４が接続される壁付きコンセント３に接続される。すなわち、親機１０も子機３０も、共に配線接続装置として機能する。加えて、親機１０は、比較的大きな地震、すなわち振動を感知すると、電源遮断信号を子機３０に送信する。子機３０は、遮断スイッチを備えており、電源遮断信号を受信したとき、遮断スイッチをオフにして、接続された電気機器への電源供給を強制的に停止する。この点で、親機１０は、感震装置として機能し、子機３０は、電源遮断装置として機能する。
【００１６】
本発明が適用された親機１０は、上述のように、天井側の例えばエアコン用の壁付きコンセント２等に接続される感震装置であって、壁付きコンセント２に接続された状態で、更に、電気機器であるエアコン４のプラグが接続されて、壁付きコンセント２からの電力をエアコン４に供給できるようにする。具体的に、親機１０は、図２に示すように、壁付きコンセント２の差し込み孔に挿入されるプラグ端子刃を有する第１のコンセント入力部１１と、エアコン４のプラグ端子刃が挿入される差し込み孔を有する第１のコンセント出力部１２と、振動を検出する振動検出部１３と、振動検出部１３が検出した振動が所定値以上であるかを判断するＣＰＵ（Central Processing Unit）等有する第１の制御部１４と、第１の制御部１４が所定値以上の振動を検出したとき、電源遮断信号を送信するための送信処理を施す送信部１５と、送信処理がされた電源遮断信号を送信するアンテナ１６とを備える。また、第１の制御部１４、送信部１５等の各構成要素に第１のコンセント入力部１１から入力された電力を供給する第１の電源部１７を備える。
【００１７】
振動検出部１３は、特定の加速度に反応する振動センサである。第１の制御部１４は、例えば震度５強に相当する振動を検出できるようになっている。具体的に、第１の制御部１４は、所定値として、地震に対応した特定の加速度の継続時間を内部メモリに格納している。第１の制御部１４は、特定の加速度が所定時間以上継続したとき、電源遮断信号を発生し、この電源遮断信号を、送信部１５に出力する。
【００１８】
本発明を適用した電源遮断システム１では、親機１０から子機３０への電源遮断信号の送信を、所定の無線規格（例えば、ＩＥＥＥ８０２．１５．４規格、ＺｉｇＢｅｅ（登録商標））を利用したワイヤレス・センサ・ネットワーク（ＷＳＮ、Wireless Sensor Network）を用い、家電向けの短距離無線通に適した小型、軽量、安価、省電力、ネットワークの自動構築等をできるようにしている。そこで、送信部１５は、第１の制御部１４から入力された電源遮断信号に対して所定の無線規格に従った通信処理を施し、通信処理が施された電源遮断信号をアンテナ１６より送信する。
【００１９】
また、第１の制御部１４は、特定の加速度の継続時間が上述した所定時間より短いとき、震度３、振動４等の上述した震度５強の地震より小規模な地震が発生したことを居住者等に警告を発するようにする。なお、第１の制御部１４は、生活で発生する振動に反応しないようにするため、更なる所定値を設けるようにしても良い。例えば、更なる所定値としては、特定の加速度の継続時間が上述の所定時間より短いものとなる。
【００２０】
第１の電源部１７は、第１のコンセント入力部１１に接続され、第１の制御部１４、送信部１５等の各構成要素に所定電力を供給する。ここで、第１の電源部１７は、内部に、コンデンサ、二次電池等の第１の制御部１４等の各構成要素を所定時間駆動する電力を蓄電する蓄電部１７ａを有している。
【００２１】
地震等の発生時において、各住宅に商用電源が供給されているときには、親機１０は、第１のコンセント入力部１１からの電力を用いて、第１の制御部１４、送信部１５等の各構成要素を駆動することができる。一方で、変電所等で先に地震が発生し、送電が中止されて停電しているときには、第１のコンセント入力部１１に電力が供給されないことになる。そこで、蓄電部１７ａは、第１のコンセント入力部１１に電力が供給されないときであっても、所定時間、例えば８秒間第１の制御部１４等の各構成要素を駆動できるだけの電力を蓄電し、停電時にも第１の制御部１４等の各構成要素が動作するようにしている。
【００２２】
更に、親機１０は、第１のコンセント入力部１１に接続され停電を検出する停電検出部１８と、停電時に点灯する複数個のＬＥＤ（Light-Emitting Diode）等で構成された照明部１９と、照明部１９に対して電力を供給する電池２１とを備えている。停電検出部１８は、第１のコンセント入力部１１への電力供給が停止したことを検出したとき、電池２１の電力で照明部１９を点灯する。また、照明部１９は、例えば３個のＬＥＤを一列に並べて構成されており、エアコン用の壁付きコンセント２等に接続されたとき、床側となる筐体の底面又は正面に設けられる。親機１０は、上述のように、エアコン用の壁付きコンセント２等天井に近い位置の壁付きコンセントに接続されるから、停電時等に、照明部１９が点灯することで、居住者が目印にすることができる。
【００２３】
更に、親機１０は、状態を表示する第１の表示部２２と、操作信号を入力する第１の操作部２３と、警告音等を出力するための音声処理を行う第１の音声処理部２４と、警告音を放音する第１のスピーカ２５とを備えている。第１の表示部２２は、例えば筐体の正面にＬＥＤを設けてなる。第１の表示部２２は、親機１０が壁付きコンセント２に接続され、動作しているときに点灯する。
【００２４】
第１の操作部２３は、例えば押しボタンで構成され、動作をリセットするリセットボタンや子機３０に対してテスト信号を送信するためのテストボタンである。リセットボタンが押されると、第１の制御部１４は、動作をリセットし、テストボタンが押されると、第１の制御部１４は、電源遮断信号をアンテナ１６より出力する。なお、第１の操作部２３としては、これらのボタンに限定されるものではなく、他に、第１の所定値や第２の所定値を設定するための操作ボタンを設けるようにしても良い。
【００２５】
また、第１の制御部１４は、所定値、すなわち特定の加速度が所定時間以上あったとき、警告音を第１の音声処理部２４で音声処理を施し、第１のスピーカ２５より放音する。例えば、第１の制御部１４は、内部メモリより、「電源を遮断します。」といった音声メッセージを読み出し、第１の音声処理部２４でＤ／Ａ変換処理等を施し、音声メッセージを第１のスピーカ２５より放音し、居住者に告知する。また、第１の制御部１４は、特定の加速度の継続時間が所定時間より短いとき、内部メモリより、「地震がありました。」といった音声メッセージを読み出し、第１の音声処理部２４でＤ／Ａ変換処理等を施し、音声メッセージを第１のスピーカ２５より放音し、居住者に告知する。
【００２６】
なお、第１の制御部１４は、ビープ音等を警告音として第１のスピーカ２５より放音するようにしても良い。また、単に警告音を放音する場合は、第１の音声処理部２４を省略しても良い。また、振動検出部１３としては、以上の例に限定されるものではない。
【００２７】
以上親機１０は、振動検出部１３を垂直な状態で取り付ける必要があるため、エアコン４用の第１の壁付きコンセント２に接続するようにしたが、振動検出部１３が横向きの状態でも振動を検出できる機能を有するのであれば、照明用の天井に設けられたコンセント等であっても良い。すなわち、親機１０は、居住者が日常あまり使用せず、生活に邪魔にならない場所のコンセントに接続されることが好ましい。また、第１の制御部１４の内部メモリに格納される所定値は、固定ではなく、居住者が第１の操作部２３を操作することによって、任意に設定できるようにしても良い。また、親機１０は、コンセントタップを介して接続するようにしても良い。
【００２８】
次に、本発明が適用された子機３０について図３を参照して説明する。子機３０は、上述のように、比較的居住者が日常使用する床側の壁付きコンセント３に接続される電源遮断機能付きコンセント、すなわち電源遮断装置であって、壁付きコンセント３に接続された状態で、更に、電熱変換機能を有する電気機器である電気ストーブ５や水槽の水槽ヒータ６のプラグが接続されて、壁付きコンセント３からの電力を電気ストーブ５や水槽ヒータ６に供給できるようにする。
【００２９】
具体的に、子機３０は、図３に示すように、壁付きコンセント３の差し込み孔に挿入されるプラグ端子刃を有する第２のコンセント入力部３１と、電気ストーブ５や水槽ヒータ６のプラグ端子刃が挿入される差し込み孔を有する第２のコンセント出力部３２と、コンセント入力部３１とコンセント出力部３２との間に設けられる遮断スイッチ３３と、遮断スイッチ３３を開閉する補助リレー３４と、親機１０から送信された電源遮断信号を受信するアンテナ３５及び受信部３６と、電源遮断信号を受信したとき、遮断スイッチ３３をオフにするＣＰＵ等有する第２の制御部３７と、第２のコンセント入力部３１から入力された電力を供給する第２の電源部３８とを備える。
【００３０】
遮断スイッチ３３は、親機１０より電源遮断信号を受信したとき、オフになり、第２のコンセント出力部３２に接続された電気ストーブ５や水槽ヒータ６への電力供給を遮断する。遮断スイッチ３３は、補助リレー３４により開閉される。補助リレーは、電磁石等を用いた機械的な機構であり、電源遮断信号を受信したとき、遮断スイッチ３３をオンの状態からオフの状態に切り換える。
【００３１】
アンテナ３５は、ＺｉｇＢｅｅ（登録商標）といったワイヤレス・センサ・ネットワークを介して電源遮断信号を受信すると、受信部３６で復調処理を行って第２の制御部３７に出力する。第２の制御部３７は、受信部３６より電源遮断信号が入力されると、補助リレー３４を駆動し、遮断スイッチ３３をオフにし、第２のコンセント出力部３２より電気ストーブ５や水槽ヒータ６へ電力が供給されないようにする。
【００３２】
第２の電源部３８は、第２のコンセント入力部３１に接続され、第２の制御部３７、受信部３６等の各構成要素に所定電力を供給する。なお、この第２の電源部３８にも、内部に、コンデンサ、二次電池等の第２の制御部３７等の各構成要素を所定時間駆動する電力を蓄電する蓄電部を設けるようにしても良い。
【００３３】
更に、子機３０には、状態を表示する第２の表示部３９と、操作信号を入力する第２の操作部４１と、警告音等を出力するための音声処理を行う第２の音声処理部４２と、警告音を放音する第２のスピーカ４３とを備えている。第２の表示部３９は、例えば筐体の正面にＬＥＤを設けてなる。第２の表示部３９は、子機３０が壁付きコンセント３に接続され、動作しているときに点灯する。
【００３４】
第２の操作部４１は、例えば押しボタンで構成され、利用開始ボタンである。利用開始ボタンが押されると、第２の制御部３７は、電源遮断信号を受信する待機状態となる。また、第２の制御部１４は、親機１０より電源遮断信号を受信したとき、警告音を第２の音声処理部４２で音声処理を施し、第２のスピーカ４３より放音する。例えば、第２の制御部３７は、電源遮断信号を受信したとき、内部メモリより、「電源を遮断しました。」といった音声メッセージを読み出し、第２の音声処理部４２でＤ／Ａ変換処理等を施し、音声メッセージを第２のスピーカ４３より放音し、居住者に告知する。
【００３５】
なお、第２の制御部３７は、ビープ音等を警告音として第２のスピーカ４３より放音するようにしても良い。また、単に警告音を放音する場合は、第２の音声処理部４２を省略しても良い。
【００３６】
なお、子機３０には、電気ストーブ５や水槽ヒータ６等の電熱変換機能を有する電気機器が接続された場合を説明したが、子機３０には、洗濯機、洗濯乾燥機、テレビジョン受像器、ビデオレコーダ等の様々な電気機器を接続するようにしても良い。また、電熱変換機能を有する電気機器としても、電気ストーブ５や水槽ヒータ６に限定されるものではない。更に、子機３０は、コンセントタップに接続するようにしても良い。更に、子機３０は、第２のコンセント出力部３２が複数設けられていても良い。
【００３７】
以上のように構成される子機３０は、親機１０に対して複数台設けられる。この電源遮断システム１において、ＺｉｇＢｅｅ（登録商標）を採用しているときには、親機１０に近い一の子機３０が親機１０から離れた他の子機３０に対する中継器となり、親機１０が送信した電源遮断信号を、親機１０に近い一の子機３０を介して親機１０から遠い他の子機３０に送信することができる。
【００３８】
次に、以上のように親機１０と子機３０とで構成される電源遮断システム１の動作順序について、図４を参照して説明する。
【００３９】
親機１０の第１の制御部１４は、ステップＳ１において、振動検出部１３が検出する振動信号が所定値、すなわち特定の加速度が所定時間以上継続したか判断し、所定値以上であるとき、ステップＳ２において、内部メモリより、「電源を遮断します。」といった音声メッセージを読み出し、第１の音声処理部２４でＤ／Ａ変換処理等を施し、音声メッセージを第１のスピーカ２５より放音する。次いで、第１の制御部１４は、ステップＳ３において、電源遮断信号を発生し、送信部１５で送信処理を施した後、アンテナ１６より子機３０に対して送信する。
【００４０】
また、親機１０の第１の制御部１４は、特定の加速度が所定時間より短いとき、ステップＳ４において、震度３、振動４等の比較的小規模な地震が発生したものとして、内部メモリより、「地震がありました。」といった音声メッセージを読み出し、第１の音声処理部２４でＤ／Ａ変換処理等を施し、音声メッセージを第１のスピーカ２５より放音する。
【００４１】
親機１０からの電源遮断信号の受信待機状態にある子機３０の第２の制御部３７は、ステップＳ５において、親機１０から送信された電源遮断信号を受信したかを判断し、電源遮断信号を受信したとき、ステップＳ６において、内部メモリより、「電源を遮断しました。」といった音声メッセージを読み出し、第２の音声処理部４２でＤ／Ａ変換処理等を施し、音声メッセージを第２のスピーカ４３より放音する。
【００４２】
以上のように構成された電源遮断システム１では、感震装置となっている親機１０が所定値以上の振動があったと判断したとき、電源遮断機能付きコンセントとなっている子機３０に対して電源遮断信号を送信し、子機３０において、電熱変換機能を有する電気機器である電気ストーブ５や水槽ヒータ６に供給されている電源を、遮断スイッチ３３を補助リレー３４でオフにすることによって、強制的に遮断することができ、また、地震により停電が発生し、送電が中止され、その後、送電が再開された場合においても、電気ストーブ５や水槽ヒータ６に対しては電源の供給を遮断したままの状態を維持することができ、二次的災害の回避を図ることができる。また、この電源遮断システム１で用いる親機１０及び子機３０は、壁付きコンセント２,３に接続するだけでよいことから、住居内に簡単に取り付けることができる。
【００４３】
次に、本発明が適用された電源遮断システム１の変形例を図５及び図６を用いて説明する。この例では、親機１０から子機３０に送信する電源遮断信号をＺｉｇＢｅｅ（登録商標）ではなく、電力線を通信回線として利用するＰＬＣ（Power line communication）を用いて行うことを特徴とする。この例で用いられる親機１０には、図５に示すように、第１のコンセント入力部１１と第１の制御部１４との間に、第１の電力線通信制御部５１が設けられ、第１のコンセント入力部１１と第１の電源部１７との間に第１の整合回路部５２が設けられている。
【００４４】
第１の電力線通信制御部５１には、第１の制御部１４から電源遮断信号が入力される。すると、第１の電力線通信制御部５１は、第１の制御部１４より入力された電源遮断信号を高周波で第１のコンセント入力部１１に出力する。また、第１の整合回路部５２は、他の壁付きコンセントに接続された電気機器によって変動するインピーダンスの調整を行い、屋内電力線のインピーダンスとの調整を行い、伝送する信号、ここでは電源遮断信号の劣化を防止する。
【００４５】
以上のような親機１０では、振動検出部１３が検出する振動信号が所定値以上であるとき、第１の制御部１４が電源遮断信号を発生し、第１の電力線通信制御部５１を介して発生した電源遮断信号を第１のコンセント入力部１１より子機３０に送信する。
【００４６】
図６に示すように、一方、子機３０にも、第２のコンセント入力部３１と第２の制御部３７との間に、第２の電力線通信制御部５３が設けられ、第２のコンセント入力部３１と第２の電源部３８との間に第２の整合回路部５４が設けられている。
【００４７】
第２の電力線通信制御部５３は、第２のコンセント入力部３１より高周波成分から電源遮断信号を抽出し、抽出した電源遮断信号を第２の制御部３７に出力する。また、第２の整合回路部５４は、他の壁付きコンセントに接続された電気機器によって変動するインピーダンスの調整を行い、屋内電力線のインピーダンスとの調整を行い、伝送する信号、ここでは電源遮断信号の劣化を防止する。
【００４８】
以上のような子機３０では、親機１０から送信された電源遮断信号を第２の電力線通信制御部５３で抽出すると、第２の制御部３７が、補助リレー３４を介し遮断スイッチ３３をオフにする。
【００４９】
かくして、子機３０において、電熱変換機能を有する電気機器である電気ストーブ５や水槽ヒータ６供給されている電源を、遮断スイッチ３３を補助リレー３４でオフにすることによって、強制的に遮断することができ、また、地震により停電が発生し、送電が中止され、その後、送電が再開された場合においても、電気ストーブ５や水槽ヒータ６に対しては電源の供給を遮断したままの状態を維持することができ、二次的災害の回避を図ることができる。
【００５０】
なお、本発明での電源遮断信号の通信方式は、ＺｉｇＢｅｅ（登録商標）やＰＬＣ（Power line communication）に限定されるものではなく、有線又は無線の様々な通信方式を用いることができる。
【図面の簡単な説明】
【００５１】
【図１】本発明を適用した電源遮断システムの構成を示す図である。
【図２】上記電源遮断システムに用いる親機のブロック図である。
【図３】上記電源遮断システムに用いる子機のブロック図である。
【図４】上記電源遮断システムのフローチャートである。
【図５】ＰＬＣを用いる親機のブロック図である。
【図６】ＰＬＣを用いる親機のブロック図である。
【符号の説明】
【００５２】
１  電源遮断システム、２  第１の壁付きコンセント、３  第２の壁付きコンセント、４  エアコン、５  電気ストーブ、６  水槽ヒータ、１０  親機、１１  第１のコンセント入力部、１２  第１のコンセント出力部、１３  振動検出部、１４  第１の制御部、１５  送信部、１６  アンテナ、１７  第１の電源部、１７ａ  蓄電部、１８  停電検出部、１９  照明部、２１  電池、２２  第１の表示部、２３  第１の操作部、２４  第１の音声処理部、２５  第１のスピーカ、３０  子機、３１  第２のコンセント入力部、３２  第２のコンセント出力部、３３  遮断スイッチ、３４  補助リレー、３５  アンテナ、３６  受信部、３７  第２の制御部、３８  第２の電源部、３９  第２の表示部、４１  第２の操作部、４２  第２の音声処理部、４３  第２のスピーカ、５１  第１の電力線通信制御部、５２  第１の整合回路部、５３  第２の電力線通信制御部、５４  第２の整合回路部
【図１】
2010029004.tif 000003
【図２】
2010029004.tif 000004
【図３】
2010029004.tif 000005
【図４】
2010029004.tif 000006
【図５】
2010029004.tif 000007
【図６】
2010029004.tif 000008